(57)【要約】【課題】基地局が送信電力を制御することなく、マルチメディアデータの受信品質を高めることができる通信方法、移動局及び受信方法を得る。【解決手段】  共通制御物理チャネルと共通パイロットチャネルとの電力比の情報を一のセルからまとめて送信する電力比情報送信工程と、周辺のセルにおけるＭＢＭＳサービスの状態を示すサービス情報を一のセルからまとめて送信するサービス情報送信工程と、周辺セルの電力比の情報を一の移動局が受信する電力比情報受信工程と、周辺セルのサービス情報を一の移動局が受信するサービス情報受信工程と、受信した情報に基づいて一の移動局がＭＢＭＳを受け得るセルのセットを決定するセル決定工程と、決定されたセットに含まれる複数のセルから受信した信号をデコードして複数のデコード信号を生成するデコード工程と、複数のデコード信号から出力信号を選択する選択工程と、を備える通信方法を提供する。【選択図】図１５
2010273355.tif 000002
【特許請求の範囲】
【請求項１】
同一のマルチメディアデータを通信システム内の複数の移動局にマルチキャストまたはブロードキャストするマルチメディア・ブロードキャスト・マルチキャスト・サービス（ＭＢＭＳ）に関する通信方法において、
周辺のセルにおいて前記マルチメディアデータをマルチキャストまたはブロードキャストするために用いられる共通制御物理チャネルと前記周辺のセルにおいて報知情報を送信するために用いられる共通パイロットチャネルとの電力比の情報を一のセルからまとめて送信する電力比情報送信工程と、
前記周辺のセルにおけるＭＢＭＳサービスの状態を示すサービス情報を前記一のセルからまとめて送信するサービス情報送信工程と、
前記電力比情報送信工程で前記一のセルからまとめて送信された前記周辺セルの電力比の情報を前記一の移動局が受信する電力比情報受信工程と、
前記サービス情報送信工程で前記一のセルからまとめて送信された前記周辺セルのサービス情報を前記一の移動局が受信するサービス情報受信工程と、
前記電力比情報受信工程で受信した前記周辺セルの前記電力比の情報と前記サービス情報受信工程で受信した前記周辺セルの前記サービス情報とに基づいて前記一の移動局がＭＢＭＳを受けることが可能なセルのセットを決定するセル決定工程と、
前記セル決定工程で決定された前記セットに含まれる複数のセルから共通制御物理チャネルを介して受信した信号をデコードすることにより複数のデコード信号を生成するデコード工程と、
前記デコード工程において生成された前記複数のデコード信号から出力信号を選択する選択工程と、
を備えたことを特徴とした通信方法。
【請求項２】
同一のマルチメディアデータを通信システム内の複数の移動局にマルチキャストまたはブロードキャストするマルチメディア・ブロードキャスト・マルチキャスト・サービス（ＭＢＭＳ）を受ける移動局であって、
一のセルからまとめて送信される、当該一のセルの周辺のセルにおいて前記マルチメディアデータをマルチキャストまたはブロードキャストするために用いられる共通制御物理チャネルと前記周辺のセルにおいて報知情報を送信するために用いられる共通パイロットチャネルとの電力比の情報を受信し、及び、一のセルからまとめて送信される、前記周辺のセルにおけるＭＢＭＳサービスの状態を示すサービス情報を受信する受信部と、
前記受信部により受信される前記電力比の情報及び前記サービス情報に基づいて、前記移動局がＭＢＭＳを受けることが可能なセルのセットを決定する決定部と、
前記決定部により決定された前記セットに含まれる複数のセルから共通制御物理チャネルを介して受信される信号をデコードすることにより複数のデコード信号を生成するデコード部と、
前記デコード部により生成される前記複数のデコード信号から出力信号を選択する選択部と、
を備えたことを特徴とした移動局。
【請求項３】
同一のマルチメディアデータを通信システム内の複数の移動局にマルチキャストまたはブロードキャストするマルチメディア・ブロードキャスト・マルチキャスト・サービス（ＭＢＭＳ）を受ける移動局による受信方法において、
一のセルからまとめて送信される、当該一のセルの周辺のセルにおいて前記マルチメディアデータをマルチキャストまたはブロードキャストするために用いられる共通制御物理チャネルと前記周辺のセルにおいて報知情報を送信するために用いられる共通パイロットチャネルとの電力比の情報を受信する電力比情報受信工程と、
一のセルからまとめて送信される、前記周辺のセルにおけるＭＢＭＳサービスの状態を示すサービス情報を受信するサービス情報受信工程と、
前記電力比情報受信工程で受信された前記電力比の情報及び前記サービス情報受信工程で受信された前記サービス情報に基づいて、前記移動局がＭＢＭＳを受けることが可能なセルのセットを決定するセル決定工程と、
前記セル決定工程で決定された前記セットに含まれる複数のセルから共通制御物理チャネルを介して受信される信号をデコードすることにより複数のデコード信号を生成するデコード工程と、
前記デコード工程で生成される前記複数のデコード信号から出力信号を選択する選択工程と、
を備えたことを特徴とした受信方法。
【発明の詳細な説明】
【技術分野】
【０００１】
この発明は、ＣＤＭＡ（Ｃｏｄｅ  Ｄｉｖｉｓｉｏｎ  Ｍｕｌｔｉｐｌｅ  Ａｃｃｅｓｓ：符号分割多重通信）方式を利用して、基地局から送信されるマルチメディアデータを受信する際に、その受信品質を高めることが可能な通信方法、移動局及び受信方法に関するものである。
【背景技術】
【０００２】
従来の無線通信システムは、基地局と移動体通信端末（例えば、携帯電話、モバイルＰＣなど）が１対１の関係であることが前提となっており、基地局が同時に複数の移動体通信端末にデータを送信するサービスは考えられていない。従来から基地局が共通のチャネルを用いて、管轄エリア内の移動体通信端末に報知情報を一斉に通知する方法は存在しているが、これはあくまでも制御に関する情報を一斉に通知するものであって、音声や映像などのデータを一斉に送信するものではない。
【０００３】
ところが、近年、移動体通信のサービスとして、マルチメディアサービスが期待されており、特にスポーツ中継、天気予報やラジオなどのマルチメディアデータを同時に複数の移動体通信端末に配信する技術に関心が高まっている。
【０００４】
そこで、基地局が報知情報を複数の移動体通信端末に通知する際に利用する第１の共通チャネル（Ｐ−ＣＣＰＣＨ：Ｐｒｉｍａｒｙ−Ｃｏｍｍｏｎ  Ｃｏｎｔｒｏｌ  Ｐｈｙｓｉｃａｌ  Ｃｈａｎｎｅｌ）の他に、基地局がシグナリングやマルチメディアデータを複数の移動体通信端末に配信する際に利用する第２の共通チャネル（Ｓ−ＣＣＰＣＨ：Ｓｅｃｏｎｄａｒｙ−Ｃｏｍｍｏｎ  Ｃｏｎｔｒｏｌ  Ｐｈｙｓｉｃａｌ  Ｃｈａｎｎｅｌ）を用意し、基地局がＳ−ＣＣＰＣＨを利用してマルチメディアデータを複数の移動体通信端末に配信する技術が提案されている（例えば、特許文献１、非特許文献１を参照）。
【０００５】
このように、基地局がＳ−ＣＣＰＣＨを利用してマルチメディアデータを配信すれば、複数の移動体通信端末に対して同時にマルチメディアデータを与えることができるが、移動体通信端末が当該基地局の管轄エリア内に存在する場合であっても、例えば、管轄エリアの外周近辺に存在する場合には、基地局から送信される電波が弱くなり、受信品質が劣化することがある。
そこで、基地局は、自己の管轄エリア内に存在する移動体通信端末の中で、最も受信電力が小さい移動体通信端末の受信電力が基準電力を上回るようにするため、送信電力を制御する機能を備えている。
【０００６】
一方、移動体通信端末は、複数の基地局から同じマルチメディアデータを受信した場合には、複数のマルチメディアデータを最大比合成することにより、受信品質を高める機能を備えている。ただし、複数の基地局から移動体通信端末に至るマルチメディアデータの伝搬経路が異なるため、複数の基地局から送信されたマルチメディアデータの移動体通信端末における受信時刻が異なり、その受信時刻差が所定時間以上になると、複数のマルチメディアデータの最大比合成を実施することができない。
【先行技術文献】
【特許文献】
【０００７】
【特許文献１】特開２００３−１８８８１８号公報
【非特許文献】
【０００８】
【非特許文献１】３ＧＰＰ標準化文書  Ｒ１−０３１１０３  Ｓｅｌｅｃｔｉｖｅ  Ｃｏｍｂｉｎｉｎｇ  ｆｏｒ  ＭＢＭＳ
【発明の概要】
【発明が解決しようとする課題】
【０００９】
従来の無線通信システムは以上のように構成されているので、基地局が自己の管轄エリア内に存在する移動体通信端末の中で、最も受信電力が小さい移動体通信端末の受信電力が基準電力を上回るように送信電力を制御すれば、移動体通信端末の受信品質を確保することができる。しかし、基地局がＳ−ＣＣＰＣＨに割り当てる送信電力を高くすると、他のチャネルに割り当てられる送信電力が相対的に低くなるため、他のチャネルを利用して送信される情報の受信品質が劣化することがある課題があった。
【００１０】
また、移動体通信端末が複数の基地局から送信される同一のマルチメディアデータを最大比合成すれば、基地局が送信電力を制御しないでも、受信品質を高めることができる。しかし、複数の基地局から移動体通信端末に至るマルチメディアデータの伝搬経路が異なるため、複数の基地局から送信されたマルチメディアデータの移動体通信端末における受信時刻が異なり、その受信時刻差が所定時間以上になると、複数のマルチメディアデータの最大比合成を実施することができなくなる課題があった。
【００１１】
この発明は上記のような課題を解決するためになされたもので、基地局が送信電力を制御することなく、マルチメディアデータの受信品質を高めることができる通信方法、移動局及び受信方法を得ることを目的とする。
【課題を解決するための手段】
【００１２】
本発明のある実施形態によれば、同一のマルチメディアデータを通信システム内の複数の移動局にマルチキャストまたはブロードキャストするマルチメディア・ブロードキャスト・マルチキャスト・サービス（ＭＢＭＳ）に関する通信方法において、周辺のセルにおいて上記マルチメディアデータをマルチキャストまたはブロードキャストするために用いられる共通制御物理チャネルと上記周辺のセルにおいて報知情報を送信するために用いられる共通パイロットチャネルとの電力比の情報を一のセルからまとめて送信する電力比情報送信工程と、上記周辺のセルにおけるＭＢＭＳサービスの状態を示すサービス情報を上記一のセルからまとめて送信するサービス情報送信工程と、上記電力比情報送信工程で上記一のセルからまとめて送信された上記周辺セルの電力比の情報を上記一の移動局が受信する電力比情報受信工程と、上記サービス情報送信工程で上記一のセルからまとめて送信された上記周辺セルのサービス情報を上記一の移動局が受信するサービス情報受信工程と、上記電力比情報受信工程で受信した上記周辺セルの上記電力比の情報と上記サービス情報受信工程で受信した上記周辺セルの上記サービス情報とに基づいて上記一の移動局がＭＢＭＳを受けることが可能なセルのセットを決定するセル決定工程と、上記セル決定工程で決定された上記セットに含まれる複数のセルから共通制御物理チャネルを介して受信した信号をデコードすることにより複数のデコード信号を生成するデコード工程と、上記デコード工程において生成された上記複数のデコード信号から出力信号を選択する選択工程と、を備えたことを特徴とした通信方法が提供される。
【００１３】
また、本発明の別の実施形態によれば、同一のマルチメディアデータを通信システム内の複数の移動局にマルチキャストまたはブロードキャストするマルチメディア・ブロードキャスト・マルチキャスト・サービス（ＭＢＭＳ）を受ける移動局であって、一のセルからまとめて送信される、当該一のセルの周辺のセルにおいて上記マルチメディアデータをマルチキャストまたはブロードキャストするために用いられる共通制御物理チャネルと上記周辺のセルにおいて報知情報を送信するために用いられる共通パイロットチャネルとの電力比の情報を受信し、及び、一のセルからまとめて送信される、上記周辺のセルにおけるＭＢＭＳサービスの状態を示すサービス情報を受信する受信部と、上記受信部により受信される上記電力比の情報及び上記サービス情報に基づいて、上記移動局がＭＢＭＳを受けることが可能なセルのセットを決定する決定部と、上記決定部により決定された上記セットに含まれる複数のセルから共通制御物理チャネルを介して受信される信号をデコードすることにより複数のデコード信号を生成するデコード部と、上記デコード部により生成される上記複数のデコード信号から出力信号を選択する選択部と、を備えたことを特徴とした移動局が提供される。
【００１４】
また、本発明の別の実施形態によれば、同一のマルチメディアデータを通信システム内の複数の移動局にマルチキャストまたはブロードキャストするマルチメディア・ブロードキャスト・マルチキャスト・サービス（ＭＢＭＳ）を受ける移動局による受信方法において、一のセルからまとめて送信される、当該一のセルの周辺のセルにおいて上記マルチメディアデータをマルチキャストまたはブロードキャストするために用いられる共通制御物理チャネルと上記周辺のセルにおいて報知情報を送信するために用いられる共通パイロットチャネルとの電力比の情報を受信する電力比情報受信工程と、一のセルからまとめて送信される、上記周辺のセルにおけるＭＢＭＳサービスの状態を示すサービス情報を受信するサービス情報受信工程と、上記電力比情報受信工程で受信された上記電力比の情報及び上記サービス情報受信工程で受信された上記サービス情報に基づいて、上記移動局がＭＢＭＳを受けることが可能なセルのセットを決定するセル決定工程と、上記セル決定工程で決定された上記セットに含まれる複数のセルから共通制御物理チャネルを介して受信される信号をデコードすることにより複数のデコード信号を生成するデコード工程と、上記デコード工程で生成される上記複数のデコード信号から出力信号を選択する選択工程と、を備えたことを特徴とした受信方法が提供される。
【発明の効果】
【００１５】
この発明によれば、予め複数の基地局からＣＰＩＣＨとＳ−ＣＣＰＣＨの電力比を示す情報を受信し、複数の基地局からＣＰＩＣＨを利用して送信された無線信号の受信レベルと当該電力比から、複数の基地局からＳ−ＣＣＰＣＨを利用して送信された無線信号の受信レベルを推定するように構成したので、Ｓ−ＣＣＰＣＨパラメータを得てコード設定を行うなど、煩雑な処理を実施することなく、複数の基地局からＳ−ＣＣＰＣＨを利用して送信された無線信号の受信レベルを得ることができる。Ｓ−ＣＣＰＣＨの送信レベルが基地局によって異なる場合には、数多くのコード設定が不要になるため特に有効である。
【図面の簡単な説明】
【００１６】
【図１】この発明の実施の形態１による無線通信システムを示す構成図である。
【図２】この発明の実施の形態１による移動体通信端末を示す構成図である。
【図３】この発明の実施の形態１による基地局を示す構成図である。
【図４】この発明の実施の形態１による基地制御装置を示す構成図である。
【図５】移動体通信端末と基地局間のチャネル構成を示す説明図である。
【図６】監視対象の基地局を示す説明図である。
【図７】この発明の実施の形態１による移動体通信端末の処理内容を示すフローチャートである。
【図８】この発明の実施の形態１による移動体通信端末の処理内容を示すフローチャートである。
【図９】この発明の実施の形態２による移動体通信端末の処理内容を示すフローチャートである。
【図１０】この発明の実施の形態３による移動体通信端末の処理内容を示すフローチャートである。
【図１１】この発明の実施の形態３による移動体通信端末の処理内容を示すフローチャートである。
【図１２】無線通信システムにおけるアクティブセット更新のシグナリングを示すシーケンス図である。
【図１３】無線通信システムにおけるアクティブセット更新時のパラメータ報知を示すシーケンス図である
【図１４】移動体通信端末におけるアクティブセットの更新処理を示すフローチャートである。
【図１５】ＣＰＩＣＨとＳ−ＣＣＰＣＨの電力比の通知を示すシーケンス図である。
【図１６】移動体通信端末におけるアクティブセットの更新処理を示すフローチャートである。
【発明を実施するための形態】
【００１７】
以下、この発明をより詳細に説明するために、この発明を実施するための最良の形態について、添付の図面に従って説明する。
実施の形態１．
図１はこの発明の実施の形態１による無線通信システムを示す構成図であり、図において、サービスセンター１は配信用のコンテンツを保管するとともに、そのコンテンツの配送を実施する。ＧＧＳＮ（Ｇａｔｅｗａｙ  ＧＰＲＳ  Ｓｕｐｐｏｒｔ  Ｎｏｄｅ）２は外側とのゲートウェイを担当している外部ネットワーク（例えば、インターネット網）とのゲートになり、パケットを通過させるためのパス（ｐａｔｈ）を確保する。また、それ以外にも課金情報の集積やモビリティ管理、ＱｏＳ（Ｑｕａｌｉｔｙ  ｏｆ  Ｓｅｒｖｉｃｅ）ネゴシエーション、トラフィックを調整するポリシー制御などを実施する。ＳＧＳＮ（Ｓｅｒｖｉｃｅ  ＧＰＲＳ  Ｓｕｐｐｏｒｔ  Ｎｏｄｅ）３はパケット通信を担当するものであり、個々のユーザに関する認証、サービス加入、ルーティング、モビリティの管理、サービス制限、コンテキスト保管、課金情報などを取り扱っている。
【００１８】
基地局制御装置４はＳＧＳＮ３と接続され、コアネットワークと基地局５の無線回線との間を中継する機能を有し、主に無線資源を管理して基地局５に対するチャネルの確立や解放の指示などを行う。基地局５は基地局制御装置４の指示の下、例えば、Ｓ−ＣＣＰＣＨ（共通チャネル）を利用して無線信号（例えば、マルチメディアデータ、パイロット信号）を管轄エリア内の移動体通信端末６に配信する。
【００１９】
移動体通信端末６は複数の基地局５からＳ−ＣＣＰＣＨを利用して送信された無線信号に係るマルチパス信号を受信すると、そのマルチパス信号を送信元の基地局５毎に振り分けて、送信元が同一の基地局５に係る複数のマルチパス信号を最大比合成して復号化し、復号化後の合成信号の中から、復号化結果が良好な合成信号を選択する機能等を備えている。
【００２０】
図２はこの発明の実施の形態１による移動体通信端末を示す構成図であり、図において、低雑音増幅部１２はアンテナ１１より受信された微弱な無線信号であるマルチパス信号を増幅する。周波数変換部１３は低雑音増幅部１２により増幅されたマルチパス信号の周波数を変換してＲＦ（Ｒａｄｉｏ  Ｆｒｅｑｕｅｎｃｙ）信号を出力する。Ａ／Ｄ変換部１４は周波数変換部１３から出力されたアナログ信号であるＲＦ信号をデジタル信号に変換する。なお、アンテナ１１、低雑音増幅部１２、周波数変換部１３及びＡ／Ｄ変換部１４から信号受信手段が構成されている。
【００２１】
サーチ部１５はＡ／Ｄ変換部１４からデジタル信号のＲＦ信号を受けると、セルサーチ処理を実施することにより、当該マルチパス信号の送信元の基地局５を検出する。コード発生器１６はサーチ部１５により検出された基地局５に対応するスクランブリングコードを発生する。
【００２２】
フィンガー割り当て制御部１７は複数の基地局５のうち、例えば、監視対象の基地局５（以下、アクティブセットという）が基地局Ａ，Ｂであると設定されている場合、基地局Ａから送信された第１のマルチパス信号に係るＲＦ信号（以下、ＲＦ信号Ａ−１という）がフィンガー部１８ａ、第２のマルチパス信号に係るＲＦ信号（以下、ＲＦ信号Ａ−２という）がフィンガー部１８ｂに割り当て、また、基地局Ｂから送信された第１のマルチパス信号に係るＲＦ信号（以下、ＲＦ信号Ｂ−１という）がフィンガー部１８ｃ、第２のマルチパス信号に係るＲＦ信号（以下、ＲＦ信号Ｂ−２という）がフィンガー部１８ｄに割り当てられるようにＲＡＫＥ合成部１８を制御する。
【００２３】
ＲＡＫＥ合成部１８のセル合成部１８ｅはフィンガー部１８ａに割り当てられたＲＦ信号Ａ−１とフィンガー部１８ｂに割り当てられたＲＦ信号Ａ−２を最大比合成し、その合成信号をセル入力メモリ１９ａに格納する。セル合成部１８ｆはフィンガー部１８ｃに割り当てられたＲＦ信号Ｂ−１とフィンガー部１８ｄに割り当てられたＲＦ信号Ｂ−２を最大比合成し、その合成信号をセル入力メモリ１９ｂに格納する。
なお、サーチ部１５、コード発生器１６、フィンガー割り当て制御部１７、ＲＡＫＥ合成部１８及びセル入力メモリ１９ａ，ｂから最大比合成手段が構成されている。
【００２４】
デコード部２０はセル入力メモリ１９ａに格納されている合成信号を復号化して、復号化後の合成信号をセル出力メモリ２１ａに格納し、セル入力メモリ１９ｂに格納されている合成信号を復号化して、復号化後の合成信号をセル出力メモリ２１ｂに格納する。
なお、デコード部２０及びセル出力メモリ２１ａ，２１ｂから復号化手段が構成されている。
【００２５】
選択部２２はセル出力メモリ２１ａ，２１ｂに格納されている復号化後の合成信号のうち、復号化結果が良好な合成信号を選択して下り共通チャネル受信部２３に出力する。なお、選択部２２は選択手段を構成している。
【００２６】
下り共通チャネル受信部２３は選択部２２から出力された合成信号が制御情報であれば、その合成信号をプロトコル処理部２６に出力し、その合成信号がアプリケーションデータであれば、その合成信号をアプリケーション処理部２７に出力する。報知情報受信部２４はセル出力メモリ２１ａに格納されている復号化後の合成信号が報知情報である場合、選択部２２が合成信号の選択処理を行わないので、その合成信号を受信してプロトコル処理部２６に出力する。
【００２７】
下り個別チャネル受信部２５はセル出力メモリ２１ａに格納されている復号化後の合成信号がアプリケーションデータや制御情報であっても、基地局５が下り個別チャネルを利用して送信されたものである場合、選択部２２が合成信号の選択処理を行わないので、その合成信号を受信し、その合成信号がアプリケーションデータであれば、その合成信号をアプリケーション処理部２７に出力し、その合成信号が制御情報であれば、その合成信号をプロトコル処理部２６に出力する。
【００２８】
プロトコル処理部２６は下り共通チャネル受信部２３、報知情報受信部２４又は下り個別チャネル受信部２５から出力された合成信号（制御情報、報知情報）にしたがってチャネルの設定・解放やハンドオーバーなど、通信制御に関する処理を実施する。
アプリケーション処理部２７は下り共通チャネル受信部２３又は下り個別チャネル受信部２５から出力された合成信号（アプリケーションデータ）にしたがって音声コーデックや画像コーデックなどの変換処理を実施する他、キー入力や画面表示などのマンマシンインタフェースの処理を実施する。
【００２９】
上り共通チャネル送信部２８はプロトコル処理部２６から制御情報が出力されると、チャネルコーディングや送信タイミングなどの共通チャネル処理を実施する。上り個別チャネル送信部２９はアプリケーション処理部２７から入力された電話番号などを受けると、チャネルコーディングや送信タイミングなどの個別チャネル処理を実施する。
【００３０】
コード発生器３０は拡散コードを発生し、変調部３１は上り共通チャネル送信部２８又は上り個別チャネル送信部２９から出力された信号を上記拡散コードで拡散変調を行う。
Ｄ／Ａ変換部３２は変調部３１から出力されたデジタル信号である変調信号をアナログ信号に変換する。周波数変換部３３はＤ／Ａ変換部３２によりＤ／Ａ変換された変調信号の周波数を変換してＲＦ信号を出力する。電力増幅部３４はＲＦ信号の電力を増幅してアンテナ１１に出力する。
【００３１】
図３はこの発明の実施の形態１による基地局を示す構成図であり、図において、報知情報送信部４１は基地局制御装置４から報知情報を受信すると、その報知情報をＰ−ＣＣＰＣＨに載せる為のコーディング処理を実施する。下り個別チャネル送信部４２は基地局制御装置４から個別チャネル（ＤＰＣＨ：Ｄｅｄｉｃａｔｅｄ  Ｐｈｙｓｉｃａｌ  ｃｈａｎｎｅｌ）を利用して送信するデータや制御情報を受信すると、そのデータや制御情報をＤＰＣＨに載せる為のコーディング処理を実施する。下り共通チャネル送信部４３は基地局制御装置４からＳ−ＣＣＰＣＨを利用して送信する制御情報やマルチメディアデータを受信すると、その制御情報やマルチメディアデータをＳ−ＣＣＰＣＨに載せる為のコーディング処理を実施する。
【００３２】
下り用コード発生器４４は下り用のチャネライゼーションコードやスクランブリングコードを発生する。変調部４５は下り用コード発生器４４から発生されたコードを利用して、報知情報送信部４１、下り個別チャネル送信部４２又は下り共通チャネル送信部４３から出力された信号の拡散変調を行う。
【００３３】
Ｄ／Ａ変換部４６は変調部４５から出力されたデジタル信号である変調信号をアナログ信号に変換する。周波数変換部４７はＤ／Ａ変換部４６によりＤ／Ａ変換された変調信号の周波数を変換してＲＦ信号を出力する。電力増幅部４８はＲＦ信号の電力を増幅してアンテナ４９に出力する。
【００３４】
低雑音増幅部５０はアンテナ４９が移動体通信端末６から送信された微弱な無線信号を受信すると、その無線信号を増幅する。周波数変換部５１は低雑音増幅部５０により増幅された無線信号の周波数を変換してＲＦ信号を出力する。Ａ／Ｄ変換部５２は周波数変換部５１から出力されたアナログ信号であるＲＦ信号をデジタル信号に変換する。
【００３５】
上り用コード発生器５３は上り用のチャネライゼーションコードやスクランブリングコードを発生する。復調部５４は上り用コード発生器５３から発生されたスクランブリングコードを利用して、Ａ／Ｄ変換部５２から出力されたＲＦ信号を復調するとともに、上り用コード発生器５３から発生されたチャネライゼーションコードを利用して、復調後のＲＦ信号をチャネル毎に分離する。上り個別チャネル受信部５５は各個別チャネルをチャネルデコードして基地局制御装置４に送信する。上り共通チャネル受信部５６は共通チャネル（ＲＡＣＨ：Ｒａｎｄｏｍ  Ａｃｃｅｓｓ  Ｃｈａｎｎｅｌ）をチャネルデコードして基地局制御装置４に送信する。
【００３６】
図４はこの発明の実施の形態１による基地制御装置を示す構成図であり、図において、対コアネットワーク送受信処理部６１はＲＡＮＡＰ（Ｒａｄｉｏ  Ａｃｃｅｓｓ  Ｎｅｔｗｏｒｋ  Ａｐｐｌｉｃａｔｉｏｎ  Ｐｒｏｔｏｃｏｌ）などのコアネットワークやＲＮＳＡＰ（Ｒａｄｉｏ  Ｎｅｔｗｏｒｋ  Ｓｕｂｓｙｓｔｅｍ  Ａｐｐｌｉｃａｔｉｏｎ  Ｐａｒｔ）などの他の基地制御装置への通信プロトコル処理を行う。
【００３７】
ＱｏＳパラメータマッピング部６２はコアネットワークからのＱｏＳ指示に基づいて要求を満たす無線チャネルのパラメータを取得する。無線資源制御部６３は無線資源に関する処理を実施するとともに、ＲＲＣシグナリングによって移動体通信端末６の制御やパラメータ通知を実施する。無線リンク制御部６４は無線リンクにおけるバッファリングや再送制御を実施する。
【００３８】
対基地局送受信処理部６５はＮＢＡＰ（ＮｏｄｅＢ  Ａｐｐｌｉｃａｔｉｏｎ  Ｐａｒｔ）などの基地局（Ｎｏｄｅ−Ｂ）への通信プロトコル処理を行う。
ただし、基地局制御装置４における機能分担は、機能上の論理的なものであり、実際のハードウェアやソフトウェアの実装においては明確に分離しているものとは限らない。
【００３９】
図５は移動体通信端末６と基地局５間のチャネル構成を示す説明図であり、図５の例では、Ｗ−ＣＤＭＡ方式を利用する場合のチャネル構成を示している。ただし、実際のチャネルの使われ方としては、複数のチャネルを一本のチャネルに相乗りさせて使われる可能性もある。
【００４０】
最初に、基地局５から移動体通信端末６に対する下り方向の物理チャネルについて説明する。
基地局５の管轄エリア内に存在する全ての移動体通信端末６に対して、タイミングの基準を報知する際に利用するＣＰＩＣＨ（Ｃｏｍｍｏｎ  Ｐｉｌｏｔ  Ｃｈａｎｎｅｌ）や、その他の報知情報を通知する際に利用するＰ−ＣＣＰＣＨ（Ｐｒｉｍａｒｙ−Ｃｏｍｍｏｎ  Ｃｏｎｔｒｏｌ  Ｐｈｙｓｉｃａｌ  Ｃｈａｎｎｅｌ）が存在する。なお、Ｐ−ＣＣＰＣＨは報知情報用チャネルＢＣＨ（Ｂｒｏａｄｃａｓｔ  ｃｈａｎｎｅｌ）として利用される。
【００４１】
また、基地局５が各移動体通信端末６にシグナリングやデータを送信する際に利用するＳ−ＣＣＰＣＨ（Ｓｅｃｏｎｄａｒｙ−Ｃｏｍｍｏｎ  Ｃｏｎｔｒｏｌ  Ｐｈｙｓｉｃａｌ  Ｃｈａｎｎｅｌ）があり、Ｓ−ＣＣＰＣＨは複数本設定することが許されている。
さらに、下り方向のページング用インジケーターとしてＰＩＣＨ（Ｐａｇｉｎｇ  Ｉｎｄｉｃａｔｏｒ  ｃｈａｎｎｅｌ）が存在する。
【００４２】
次に、移動体通信端末６から基地局５に対する上り方向のチャネルについて説明する。
共通チャネルとしてＲＡＣＨ（Ｒａｎｄｏｍ  Ａｃｃｅｓｓ  Ｃｈａｎｎｅｌ）があり、また、上り下りの両方のチャネルに設定されるものとして、特定の移動体通信端末６と通信する際に個別に設定されるＤＰＣＨ（Ｄｅｄｉｃａｔｅｄ  Ｐｈｙｓｉｃａｌ  Ｃｈａｎｎｅｌ）がある。ＤＰＣＨは上り下りのそれぞれに設定され、音声やデータ等の通信や上位レイヤのシグナリングのために利用される。ＤＰＣＨはデータを送信する部分ＤＰＤＣＨ（Ｄｅｄｉｃａｔｅｄ  Ｐｈｙｓｉｃａｌ  Ｄａｔａ  Ｃｈａｎｎｅｌ）と制御に関するビットを送信する部分ＤＰＣＣＨ（Ｄｅｄｉｃａｔｅｄ  Ｐｈｙｓｉｃａｌ  Ｃｏｎｔｏｒｏｌ  Ｃｈａｎｎｅｌ）に分けて呼ばれることもある。
また、ＤＰＣＨは端末個々に利用されるため個別チャネルと呼ばれ、その他のチャネルは複数端末で共通に利用するため共通チャネルと呼ばれる。
【００４３】
次に動作について説明する。
まず、ＧＧＳＮ２は、サービスセンター１に保管されているコンテンツのマルチメディアデータを取り出し、そのマルチメディアデータをＳＧＳＮ３に送信する。
ＳＧＳＮ３は、ＧＧＳＮ２からマルチメディアデータを受信すると、そのコンテンツの配信サービスを利用する１以上の移動体通信端末６を検索し、それらの移動体通信端末６を収容している基地局５と接続されている基地局制御装置４に当該コンテンツのマルチメディアデータを転送する。
【００４４】
基地局制御装置４は、ＳＧＳＮ３からマルチメディアデータを受信すると、基地局５からＳ−ＣＣＰＣＨを利用してマルチメディアデータが配信されるように基地局５を制御する。
移動体通信端末６は、複数の基地局５のうち、いずれかの基地局５からＳ−ＣＣＰＣＨチャネルを利用して配信されるマルチメディアデータを受信する。
ただし、移動体通信端末６は、マルチメディアデータを配信している基地局５の管轄エリア内に存在する場合であっても、例えば、管轄エリアの外周近辺に存在する場合には、基地局５から送信される電波が弱くなり、受信品質が劣化することがある。
【００４５】
管轄エリアの外周近辺において、Ｓ−ＣＣＰＣＨチャネルの受信品質が劣化する理由は下記の通りである。ここでは、説明の便宜上、図６に示すように、基地局制御装置４が基地局Ａと基地局Ｂに接続され、移動体通信端末６が基地局Ａの管轄エリアの外周近辺に存在するものとする。
この場合、移動体通信端末６と基地局Ｂの距離が比較的短いので、個別チャネルであるＤＰＣＨは、基地局Ａとの間に設定される他、基地局Ｂとの間に設定されることがある。
移動体通信端末６が基地局Ａ，Ｂとの間でＤＰＣＨが設定された場合、基地局Ａ，ＢからＤＰＣＨを利用して送信されたデータを受信して、双方のデータを最大比合成することにより、そのデータの受信品質を高めることができる。
【００４６】
しかし、共通チャネルであるＳ−ＣＣＰＣＨは、基地局Ａ又は基地局Ｂとの間だけに設定されるため、基地局Ａと基地局Ｂから送信されたデータ同士の最大比合成を実施することができず、そのデータの受信品質が劣化する傾向にある。
そこで、Ｓ−ＣＣＰＣＨの受信品質を確保するためには、基地局５がＳ−ＣＣＰＣＨに割り当てる電力を大きくして送信すればよいが、上述したように、基地局５がＳ−ＣＣＰＣＨに割り当てる電力を大きくすると、他のチャネルに割り当てられる送信電力が相対的に低くなるため、他のチャネルを利用して送信される情報の受信品質が劣化することがある。
【００４７】
この実施の形態１では、基地局５がＳ−ＣＣＰＣＨに割り当てる電力を大きくすることなく、Ｓ−ＣＣＰＣＨの受信品質を高めるようにするため、移動体通信端末６を図２のように構成している。
【００４８】
以下、図２の移動体通信端末６の動作を説明する。図７及び図８はこの発明の実施の形態１による移動体通信端末の処理内容を示すフローチャートである。
移動体通信端末６は、３以上の基地局５からＳ−ＣＣＰＣＨを利用して送信された無線信号を受信できる可能性があるが、移動体通信端末６の受信側のハードウェアには制限があるので、全ての基地局５を監視対象にせず、ある程度、見込みのある基地局５（受信品質が高くなる可能性が高い基地局５）のみを監視対象とするものとする。ここでは、図６に示すように、基地局Ａと基地局Ｂを監視対象として、基地局Ａ，Ｂから送信される無線信号を受信するものとする。ただし、基地局Ａ，Ｂから色々な経路を通って無線信号が移動体通信端末６に到達するので、基地局Ａ，Ｂから送信された無線信号は、それぞれマルチパス信号として複数回移動体通信端末６に受信される。
【００４９】
なお、複数の基地局５は、移動体通信端末６との間でＳ−ＣＣＰＣＨが設定されていない段階では、無線信号として、いきなりマルチメディアデータを送信せず、パイロット信号を送信することが考えられるが、いきなりマルチメディアデータを送信するようにしてもよい。
【００５０】
まず、移動体通信端末６の低雑音増幅部１２は、アンテナ１１が基地局Ａ又は基地局Ｂから送信された無線信号であるマルチパス信号を受信すると、そのマルチパス信号を増幅する。
周波数変換部１３は、低雑音増幅部１２がマルチパス信号を増幅すると、そのマルチパス信号の周波数を変換してＲＦ信号をＡ／Ｄ変換部１４に出力する。
Ａ／Ｄ変換部１４は、周波数変換部１３からアナログ信号であるＲＦ信号を受けると、そのＲＦ信号をアナログ／デジタル変換して、デジタル信号であるＲＦ信号をＲＡＫＥ合成部１８及びサーチ部１５に出力する。
サーチ部１５は、Ａ／Ｄ変換部１４からデジタル信号のＲＦ信号を受けると、セルサーチ処理を実施することにより、当該マルチパス信号の送信元の基地局５を検出する。即ち、アンテナ１１により受信されたマルチパス信号は、基地局Ａから送信されたのか、基地局Ｂから送信されたのかを確認する。
【００５１】
具体的には、サーチ部１５は、移動体通信端末６の移動に伴ってマルチパス信号がフェージングの影響を受けて変化するので、Ｓ−ＣＣＰＣＨのコードやタイミングなどを設定して、Ｓ−ＣＣＰＣＨのサーチを実施して（ステップＳＴ１）、該当するＳ−ＣＣＰＣＨ（基地局Ａに係るＳ−ＣＣＰＣＨ、基地局Ｂに係るＳ−ＣＣＰＣＨ）の遅延プロファイル等を算出する（ステップＳＴ２）。
【００５２】
フィンガー割り当て制御部１７は、サーチ部１５により算出された遅延プロファイルのピークを探索し、そのピーク時のマルチパス信号がＲＡＫＥ合成部１８のフィンガー部に割り当てられるようにＲＡＫＥ合成部１８を制御する（ステップＳＴ３）。
【００５３】
この際、監視対象の基地局５であるアクティブセットが基地局Ａ，Ｂであるので、フィンガー割り当て制御部１７は、例えば、アンテナ１１により受信されたマルチパス信号の送信元が基地局Ａであり、ＲＡＫＥ合成部１８のフィンガー部１８ａには未だＡ／Ｄ変換部１４から出力されたＲＦ信号が割り当てられていなければ、そのＲＦ信号（以下、ＲＦ信号Ａ−１という）がフィンガー部１８ａに割り当てられるようにＲＡＫＥ合成部１８を制御する。
【００５４】
また、アンテナ１１により受信されたマルチパス信号の送信元が基地局Ａであり、ＲＡＫＥ合成部１８のフィンガー部１８ａには既にＡ／Ｄ変換部１４から出力されたＲＦ信号が割り当てられていれば、そのＲＦ信号（以下、ＲＦ信号Ａ−２という）がフィンガー部１８ｂに割り当てられるようにＲＡＫＥ合成部１８を制御する。
【００５５】
フィンガー割り当て制御部１７は、アンテナ１１により受信されたマルチパス信号の送信元が基地局Ｂであり、ＲＡＫＥ合成部１８のフィンガー部１８ｃには未だＡ／Ｄ変換部１４から出力されたＲＦ信号が割り当てられていなければ、そのＲＦ信号（以下、ＲＦ信号Ｂ−１という）がフィンガー部１８ｃに割り当てられるようにＲＡＫＥ合成部１８を制御する。
【００５６】
また、アンテナ１１により受信されたマルチパス信号の送信元が基地局Ｂであり、ＲＡＫＥ合成部１８のフィンガー部１８ｃには既にＡ／Ｄ変換部１４から出力されたＲＦ信号が割り当てられていれば、そのＲＦ信号（以下、ＲＦ信号Ｂ−２という）がフィンガー部１８ｄに割り当てられるようにＲＡＫＥ合成部１８を制御する。
【００５７】
コード発生器１６は、サーチ部１５により検出された基地局５に対応するスクランブリングコードを発生する。例えば、当該マルチパス信号の送信元の基地局５が基地局Ａであれば、その基地局Ａに対応するスクランブリングコードを発生し、当該マルチパス信号の送信元の基地局５が基地局Ｂであれば、その基地局Ｂに対応するスクランブリングコードを発生する。
【００５８】
ＲＡＫＥ合成部１８のフィンガー部１８ａ〜１８ｄは、ＲＦ信号Ａ−１〜Ｂ−２を入力する際、コード発生器１６から発生されたスクランブリングコードを利用して、そのＲＦ信号Ａ−１〜Ｂ−２を復調する。
ＲＡＫＥ合成部１８のセル合成部１８ｅは、フィンガー部１８ａ，１８ｂにＲＦ信号Ａ−１，Ａ−２が割り当てられると、そのＲＦ信号Ａ−１とＲＦ信号Ａ−２を最大比合成し、その合成信号（以下、合成信号Ａという）をセル入力メモリ１９ａに格納する（ステップＳＴ４，ＳＴ５）。
【００５９】
また、ＲＡＫＥ合成部１８のセル合成部１８ｆは、フィンガー部１８ｃ，１８ｄにＲＦ信号Ｂ−１，Ｂ−２が割り当てられると、そのＲＦ信号Ｂ−１とＲＦ信号Ｂ−２を最大比合成し、その合成信号（以下、合成信号Ｂという）をセル入力メモリ１９ｂに格納する（ステップＳＴ４，ＳＴ５）。
【００６０】
デコード部２０は、ＲＡＫＥ合成部１８のセル合成部１８ｅが合成信号Ａをセル入力メモリ１９ａに格納すると、その合成信号Ａに対するターボデコード処理を実施することにより（ステップＳＴ１１，ＳＴ１２）、その合成信号Ａを復号化して、復号化後の合成信号Ａをセル出力メモリ２１ａに格納する（ステップＳＴ１３）。
【００６１】
また、デコード部２０は、ＲＡＫＥ合成部１８のセル合成部１８ｆが合成信号Ｂをセル入力メモリ１９ｂに格納すると、その合成信号Ｂに対するターボデコード処理を実施することにより（ステップＳＴ１１，ＳＴ１２）、その合成信号Ｂを復号化して、復号化後の合成信号Ｂをセル出力メモリ２１ｂに格納する（ステップＳＴ１３）。
選択部２２は、セル出力メモリ２１ａ，２１ｂに格納されている復号化後の合成信号Ａ，Ｂのうち、復号化結果が良好な合成信号を選択して下り共通チャネル受信部２３に出力する。
【００６２】
例えば、復号化後の合成信号Ａ，ＢのＣＲＣ結果をチェックして（ステップＳＴ１４）、そのＣＲＣ結果が正常である合成信号を確認する。
そして、ＣＲＣ結果が正常である合成信号を一つ選択して（ステップＳＴ１５）その合成信号を下り共通チャネル受信部２３に出力する（ステップＳＴ１６）。
【００６３】
下り共通チャネル受信部２３は、選択部２２により選択された合成信号を受けると、その合成信号が制御情報であれば、その合成信号をプロトコル処理部２６に出力し、その合成信号がアプリケーションデータであれば、その合成信号をアプリケーション処理部２７に出力する。
【００６４】
プロトコル処理部２６は、下り共通チャネル受信部２３から制御情報である合成信号を受けると、その制御情報にしたがってチャネルの設定・解放やハンドオーバーなどの通信制御に関する処理を実施する。
即ち、プロトコル処理部２６は、下り共通チャネル受信部２３から出力された合成信号が基地局Ａから送信されたマルチパス信号に係るものであれば、基地局Ａとの間でＳ−ＣＣＰＣＨを設定するための通信制御処理などを実施し、下り共通チャネル受信部２３から出力された合成信号が基地局Ｂから送信されたマルチパス信号に係るものであれば、基地局Ｂとの間でＳ−ＣＣＰＣＨを設定するための通信制御処理などを実施する。
【００６５】
以降、サーチ部１５は、プロトコル処理部２６により設定されたＳ−ＣＣＰＣＨのマルチパス信号をサーチし、ＲＡＫＥ合成部１８は、サーチ部１５によりサーチされた複数のマルチパス信号を最大比合成し、デコード部２０は、その合成信号をセル出力メモリ２１ａに格納する。
【００６６】
アプリケーション処理部２７は、上記のようにしてプロトコル処理部２６により基地局Ａ又は基地局Ｂとの間でＳ−ＣＣＰＣＨが設定されたのち、下り共通チャネル受信部２３からアプリケーションデータである合成信号を受けると、そのアプリケーションデータにしたがって音声コーデックや画像コーデックなどの変換処理を実施する。
【００６７】
なお、報知情報受信部２４は、セル出力メモリ２１ａに格納されている復号化後の合成信号が報知情報である場合、選択部２２が合成信号の選択処理を行わないので、その合成信号を受信してプロトコル処理部２６に出力する。
【００６８】
下り個別チャネル受信部２５は、セル出力メモリ２１ａに格納されている復号化後の合成信号がアプリケーションデータや制御情報であっても、基地局５が下り個別チャネルを利用して送信されたものである場合、選択部２２が合成信号の選択処理を行わないので、その合成信号を受信し、その合成信号がアプリケーションデータであれば、その合成信号をアプリケーション処理部２７に出力し、その合成信号が制御情報であれば、その合成信号をプロトコル処理部２６に出力する。
【００６９】
以上で明らかなように、この実施の形態１によれば、複数の基地局５からＳ−ＣＣＰＣＨを利用して送信された無線信号に係るマルチパス信号を送信元の基地局毎に振り分けて、送信元が同一の基地局５に係る複数のマルチパス信号を最大比合成するとともに、その合成信号を復号化し、その復号化後の合成信号の中から、復号化結果が良好な合成信号を選択するように構成したので、基地局５が送信電力を制御することなく、無線信号の受信品質を高めることができる効果を奏する。
【００７０】
なお、この実施の形態１では、フィンガー部１８ａ，１８ｂが基地局Ａから送信されたマルチパス信号に係るＲＦ信号Ａ−１，Ａ−２を入力し、フィンガー部１８ｃ，１８ｄが基地局Ｂから送信されたマルチパス信号に係るＲＦ信号Ｂ−１，Ｂ−２を入力するものについて示したが、フィンガー部１８ａ〜１８ｄに対するＲＦ信号の振り分けは任意でよく、例えば、フィンガー部１８ａ，１８ｂ，１８ｃが基地局Ａから送信されたマルチパス信号に係るＲＦ信号Ａ−１，Ａ−２，Ａ−３を入力し、フィンガー部１８ｄが基地局Ｂから送信されたマルチパス信号に係るＲＦ信号Ｂ−１を入力するようにしてもよい。
【００７１】
また、この実施の形態１では、ＲＡＫＥ合成部１８がセル合成部１８ｅとセル合成部１８ｆを搭載しているものについて示したが、ＲＡＫＥ合成部１８がセル合成部を１つだけ搭載し、そのセル合成部がセル合成部１８ｅとセル合成部１８ｆの機能を兼ねるようにしてもよい。
【００７２】
また、デコード部２０のハードウェアは一般的に回路規模が大きいため、この実施の形態１では、デコード部２０が時分割でデコード処理を実施するものについて示したが、２つのデコード部を実装していてもよいことは言うまでもない。
さらに、この実施の形態１では、２つのセル入力メモリ１９ａ，１９ｂを実装するとともに、２つのセル出力メモリ２１ａ，２１ｂを実装しているものについて示したが、それぞれ１つのメモリで構成してもよいことは言うまでもない。
【００７３】
実施の形態２．
上記実施の形態１では、選択部２２がセル出力メモリ２１ａ，２１ｂに格納されている復号化後の合成信号Ａ，Ｂのうち、復号化結果が良好な合成信号を選択して下り共通チャネル受信部２３に出力するものについて示したが、図９に示すように、選択部２２が例えばセル出力メモリ２１ａに格納されている復号化後の合成信号Ａの復号化結果が良好であるか否かを先に確認し、その復号化結果が良好であれば、セル出力メモリ２１ｂに格納されている復号化後の合成信号Ｂの復号化結果が良好であるか否かを確認することなく、復号化後の合成信号Ａを下り共通チャネル受信部２３に出力するようにしてもよい（ステップＳＴ１７，ＳＴ１８）。なお、セル出力メモリ２１ａに格納されている復号化後の合成信号Ａの復号化結果が良好でなければ、セル出力メモリ２１ｂに格納されている復号化後の合成信号Ｂの復号化結果が良好であるか否かを確認し、その復号化結果が良好であれば、復号化後の合成信号Ｂを下り共通チャネル受信部２３に出力する。
【００７４】
この実施の形態２によれば、先に確認した復号化結果が良好であれば、他の復号化結果が良好であるか否かの確認処理が不要になるため、無駄な処理を削減することができる効果を奏する。
【００７５】
実施の形態３．
上記実施の形態１では、アクティブセットが基地局Ａ，Ｂであると設定されているものについて示したが、複数の基地局５から送信された無線信号の受信レベルを相互に比較し、その比較結果に応じてアクティブセットの更新要求を送信する更新要求手段を設けるようにしてもよい。
なお、図２のサーチ部１５及びプロトコル制御部２６が変更要求手段を構成する。
図１０及び図１１はこの発明の実施の形態３による移動体通信端末の処理内容を示すフローチャートである。
【００７６】
次に動作について説明する。
まず、ＣＰＩＣＨの受信レベルには、例えば、伝播ロス（パスロス）又はＣＰＩＣＨ  Ｅｃ／Ｎｏ（ＣＰＩＣＨの１チップ当りのエネルギー対ノイズ）  ＣＰＩＣＨ-ＲＳＣＰ（ＣＰＩＣＨ  Ｒｅｃｅｉｖｅｄ  Ｓｉｇｎａｌ  Ｃｏｄｅ  Ｐｏｗｅｒ／ＣＰＩＣＨ）のコードに割り当てられた電力などがある。
サーチ部１５は、アクティブセットに含まれている基地局５の他、現在アクティブセットに含まれていない基地局５のＣＰＩＣＨの受信レベルを取得する（ステップＳＴ２１）。
【００７７】
サーチ部１５は、これらの基地局５のＣＰＩＣＨの受信レベルを取得すると、これらのＣＰＩＣＨの受信レベルを順番に並べて（ステップＳＴ２２）、追加閾値Ｔａｄｄを算出する（ステップＳＴ２３）。
即ち、アクティブセットに含まれている基地局５のＣＰＩＣＨの受信レベルの中で、最も低いＣＰＩＣＨの受信レベルをＸとし、そのＣＰＩＣＨの受信レベルＸと、アクティブセットのばたつきを防止するためのヒステリシスパラメータＨとから追加閾値Ｔａｄｄを算出する。ここでは、サーチ部１５が追加閾値Ｔａｄｄを算出しているが、上位レイヤから追加閾値Ｔａｄｄを受信するようにしてもよい。
Ｔａｄｄ＝Ｘ＋Ｈ／２
【００７８】
サーチ部１５は、現在アクティブセットに含まれていない基地局５のＣＰＩＣＨの受信レベルの中で、予め設定された時間Ｔ（時間Ｔは瞬時的な変化を取り除くためのタイマー値）だけ継続して、上記の追加閾値Ｔａｄｄより大きい受信レベルが存在するか否かを確認する（ステップＳＴ２４）。
【００７９】
サーチ部１５は、予め設定された時間Ｔだけ継続して、追加閾値Ｔａｄｄより大きい受信レベルが存在する場合、アクティブセットの収容に余裕があるか否か、即ち、アクティブセットとして基地局５が追加されても、追加される受信処理の負荷に耐え得るか否かを調査し（ステップＳＴ２５）、アクティブセットの収容に余裕があれば、以下に示すようなアクティブセットの追加処理の実施を決定する。この場合、図１１の端子Ａの処理に移行する。
【００８０】
一方、アクティブセットの収容に余裕がなければ、以下に示すようなアクティブセットの入れ替え処理の実施を決定する。この場合、図１１の端子Ｂの処理に移行する。
サーチ部１５は、予め設定された時間Ｔだけ継続して、追加閾値Ｔａｄｄより大きい受信レベルが存在しない場合、アクティブセットに含まれている基地局５のＣＰＩＣＨの受信レベルの中で、最も低いＣＰＩＣＨの受信レベルＸとヒステリシスパラメータＨとから削除閾値Ｔｄｅｌｅｔｅを算出する（ステップＳＴ２６）。ここでは、サーチ部１５が削除閾値Ｔｄｅｌｅｔｅを算出しているが、上位レイヤから削除閾値Ｔｄｅｌｅｔｅを受信するようにしてもよい。
Ｔｄｅｌｅｔｅ＝Ｘ−Ｈ／２
【００８１】
サーチ部１５は、アクティブセットに含まれている基地局５のＣＰＩＣＨの受信レベルの中で、予め設定された時間Ｔだけ継続して、上記の削除閾値Ｔｄｅｌｅｔｅより小さい受信レベルが存在するか否かを確認する（ステップＳＴ２４）。
サーチ部１５は、予め設定された時間Ｔだけ継続して、削除閾値Ｔｄｅｌｅｔｅより小さい受信レベルが存在する場合、以下に示すようなアクティブセットの削除処理の実施を決定する。この場合、図１１の端子Ｃの処理に移行する。
【００８２】
一方、予め設定された時間Ｔだけ継続して、削除閾値Ｔｄｅｌｅｔｅより小さい受信レベルが存在しない場合、アクティブセットの更新処理を実施せずに終了する。
・アクティブセットの追加処理
プロトコル処理部２６は、サーチ部１５がアクティブセットの追加処理の実施を決定すると、アクティブセットの追加要求シグナリングを基地局５に送信する（ステップＳＴ３１）。
即ち、プロトコル処理部２６は、アクティブセットの追加要求シグナリングを上り個別チャネル送信部２９に出力し、上り個別チャネル送信部２９が個別チャネル処理を実施して、その追加要求シグナリングを変調部３１に出力する。
【００８３】
変調部３１は、上り個別チャネル送信部２９から出力された追加要求シグナリングをコード発生器３０から発生された拡散コードで拡散変調を行う。
Ｄ／Ａ変換部３２は、変調部３１から出力されたデジタル信号である変調信号をアナログ信号に変換し、周波数変換部３３は、Ｄ／Ａ変換部３２によりデジタル／アナログ変換された変調信号の周波数を変換してＲＦ信号を出力し、電力増幅部３４は、そのＲＦ信号の電力を増幅してアンテナ１１に出力する。
これにより、アクティブセットの追加要求シグナリングが基地局５に伝送され、基地局５が追加要求シグナリングを基地局制御装置４に転送する。
【００８４】
基地局５は、基地局制御装置４がアクティブセットの追加を許可する場合、例えば、個別チャネルであるＤＰＣＨを利用して、アクティブセットの追加許可シグナリング（新たに追加を許可する基地局５のＳ−ＣＣＰＣＨパラメータを含む）を移動体通信端末６に送信する。
【００８５】
移動体通信端末６のプロトコル処理部２６は、アンテナ１１が基地局５から送信されたアクティブセットの追加許可シグナリングを受信し、上記実施の形態１と同様にして、下り個別チャネル受信部２５からアクティブセットの追加許可シグナリングを受けると（ステップＳＴ３２）、そのシグナリング内容を解析して、アクティブセットの追加が許可されたか否かを判断する（ステップＳＴ３３）。
【００８６】
プロトコル処理部２６は、アクティブセットの追加が許可されたものと判断する場合、アクティブセットの追加許可シグナリングに含まれているＳ−ＣＣＰＣＨパラメータを参照して、アクティブセットに追加する基地局５を確認し、その基地局５をアクティブセットに追加する（ステップＳＴ３４）。
また、プロトコル処理部２６は、そのＳ−ＣＣＰＣＨパラメータをサーチ部１５、フィンガー割り当て制御部１７及びＲＡＫＥ合成部１８に通知する。
【００８７】
以降、追加された基地局５を含むアクティブセットの基地局５のＳ−ＣＣＰＣＨの受信処理を開始する（ステップＳＴ３５）。
・アクティブセットの入れ替え処理
プロトコル処理部２６は、サーチ部１５がアクティブセットの入れ替え処理の実施を決定すると、アクティブセットの追加要求シグナリングを送信する場合と同様にして、アクティブセットの入れ替え要求シグナリングを基地局５に送信する（ステップＳＴ４１）。
これにより、アクティブセットの入れ替え要求シグナリングが基地局５に伝送され、基地局５が入れ替え要求シグナリングを基地局制御装置４に転送する。
【００８８】
基地局５は、基地局制御装置４がアクティブセットの入れ替えを許可する場合、例えば、ＤＰＣＨを利用して、アクティブセットの入れ替え許可シグナリング（新たに追加を許可する基地局５のＳ−ＣＣＰＣＨパラメータを含む）を移動体通信端末６に送信する。
移動体通信端末６のプロトコル処理部２６は、アンテナ１１が基地局５から送信されたアクティブセットの入れ替え許可シグナリングを受信し、上記実施の形態１と同様にして、下り個別チャネル受信部２５からアクティブセットの入れ替え許可シグナリングを受けると（ステップＳＴ４２）、そのシグナリング内容を解析して、アクティブセットの入れ替えが許可されたか否かを判断する（ステップＳＴ４３）。
【００８９】
プロトコル処理部２６は、アクティブセットの入れ替えが許可されたものと判断する場合、現在のアクティブセットに含まれている基地局５の中で、最も受信レベルが低い基地局５をアクティブセットから除外する（ステップＳＴ４４）。
また、プロトコル処理部２６は、アクティブセットの入れ替え許可シグナリングに含まれているＳ−ＣＣＰＣＨパラメータを参照して、アクティブセットに追加する基地局５を確認し、その基地局５をアクティブセットに追加する（ステップＳＴ４５）。
さらに、プロトコル処理部２６は、そのＳ−ＣＣＰＣＨパラメータをサーチ部１５、フィンガー割り当て制御部１７及びＲＡＫＥ合成部１８に通知する。
【００９０】
以降、入れ替えられた基地局５を含むアクティブセットの基地局５のＳ−ＣＣＰＣＨの受信処理を開始する（ステップＳＴ４６）。
・アクティブセットの削除処理
プロトコル処理部２６は、サーチ部１５がアクティブセットの削除処理の実施を決定すると、アクティブセットの追加要求シグナリングを送信する場合と同様にして、アクティブセットの削除要求シグナリングを基地局５に送信する（ステップＳＴ５１）。
【００９１】
これにより、アクティブセットの削除要求シグナリングが基地局５に伝送され、基地局５が削除要求シグナリングを基地局制御装置４に転送する。
基地局５は、基地局制御装置４がアクティブセットの削除を許可する場合、例えば、ＤＰＣＨを利用して、アクティブセットの削除許可シグナリングを移動体通信端末６に送信する。
【００９２】
移動体通信端末６のプロトコル処理部２６は、アンテナ１１が基地局５から送信されたアクティブセットの削除許可シグナリングを受信し、上記実施の形態１と同様にして、下り個別チャネル受信部２５からアクティブセットの削除許可シグナリングを受けると（ステップＳＴ５２）、そのシグナリング内容を解析して、アクティブセットの削除が許可されたか否かを判断する（ステップＳＴ４３）。
【００９３】
プロトコル処理部２６は、アクティブセットの削除が許可されたものと判断する場合、現在のアクティブセットに含まれている基地局５の中で、最も受信レベルが低い基地局５のＳ−ＣＣＰＣＨの受信処理を停止するとともに（ステップＳＴ５４）、その基地局５をアクティブセットから除外する（ステップＳＴ５５）。
【００９４】
図１２は無線通信システムにおけるアクティブセット更新のシグナリングを示すシーケンス図である。以下、図１２を参照して、移動体通信端末６と基地局５と基地局制御装置４との間の情報交換を説明する。
まず、移動体通信端末６は、上記のようにして、アクティブセットを更新すると（ステップＳＴ６１）、共通チャネルであるＲＡＣＨを利用して、アクティブセットが更新されたことを示すアクティブセット更新情報を基地局５に送信する（ステップＳＴ６２）。
【００９５】
基地局５は、移動体通信端末６からアクティブセット更新情報を受信すると、そのアクティブセット更新情報を基地局制御装置４に転送する（ステップＳＴ６３）。
基地局制御装置４は、基地局５からアクティブセット更新情報を受信すると、新たにアクティブセットに含まれた基地局５のＳ−ＣＣＰＣＨ状態を照会する（ステップＳＴ６４）。即ち、新たにアクティブセットに含まれた基地局５が現在マルチメディアサービスを実施しているか否かを確認する。
基地局制御装置４は、新たにアクティブセットに含まれた基地局５が現在マルチメディアサービスを実施していない場合には、その基地局５に対してマルチメディアサービスの起動を指示する（ステップＳＴ６６）。
【００９６】
そして、基地局制御装置４は、Ｓ−ＣＣＰＣＨパラメータ（例えば、タイミング、コードなど）やサービス起動状態を取得して、ＲＲＣ（Ｒａｄｉｏ  Ｒｅｓｏｕｒｃｅ  Ｃｏｎｔｒｏｌ）シグナリングを起動する（ステップＳＴ６７）。
基地局５は、基地局制御装置４からＳ−ＣＣＰＣＨパラメータを受信し、例えば、共通チャネルであるＣＰＩＣＨを利用して、Ｓ−ＣＣＰＣＨパラメータをシグナリング送信する（ステップＳＴ６８）。
移動体通信端末６は、基地局５からＳ−ＣＣＰＣＨパラメータをシグナリング受信すると（ステップＳＴ６９）、そのＳ−ＣＣＰＣＨパラメータを設定して受信動作を実施する（ステップＳＴ７０）。
【００９７】
以上で明らかなように、この実施の形態３によれば、複数の基地局５から送信された無線信号の受信レベルを相互に比較し、その比較結果に応じてアクティブセットの更新要求を送信する更新要求手段を設けるように構成したので、移動体通信端末６が移動しても、無線信号の受信品質を確保することができる効果を奏する。
【００９８】
なお、この実施の形態３では、移動体通信端末６がアクティブセットの更新要求を基地局５に送信するものについて示したが、既に基地局５との間に個別チャネルが設定されている場合には、個別チャネルのアクティブセットを共通チャネルに流用するようにしてもよく、この場合には、アクティブセットの更新要求を基地局５に送信する必要はない。
【００９９】
実施の形態４．
上記実施の形態３では、移動体通信端末６が複数の基地局５から送信された無線信号の受信レベルを相互に比較し、その比較結果に応じてアクティブセットの更新要求を基地局５に送信するものについて示したが、移動体通信端末６がアクティブセットを更新する際に必要な報知情報を基地局５から受信し、その報知情報を参照して、アクティブセットを更新する監視対象更新手段を設け、基地局５が更新に関与しないようにしてもよい。なお、図２のサーチ部１５及びプロトコル制御部２６が監視対象更新手段を構成する。
【０１００】
図１３は無線通信システムにおけるアクティブセット更新時のパラメータ報知を示すシーケンス図である。
まず、基地局制御装置４は、アクティブセットの更新に必要な情報（例えば、閾値など）を報知情報として基地局５に送信する（ステップＳＴ７１）。
【０１０１】
基地局５は、基地局制御装置４から報知情報を受信すると、その報知情報を移動体通信端末６に転送する（ステップＳＴ７２）。
移動体通信端末６は、基地局５から報知情報を受信すると（ステップＳＴ７３）、その報知情報を参照して、アクティブセットの更新に必要な情報（例えば、閾値など）を設定する（ステップＳＴ７３）。
また、基地局制御装置４は、報知情報を基地局５に送信したのち、周辺基地局のＳ−ＣＣＰＣＨ状態（例えば、サービス状況、タイミング）を照会する（ステップＳＴ７５）。
次に、基地局制御装置４は、Ｓ−ＣＣＰＣＨのパラメータを情報要素として組み立てて（ステップＳＴ７６）、Ｓ−ＣＣＰＣＨの情報要素を報知情報として基地局５に送信する（ステップＳＴ７７）。
【０１０２】
基地局５は、基地局制御装置４から報知情報を受信すると、その報知情報を移動体通信端末６に転送する（ステップＳＴ７８）。
移動体通信端末６は、基地局５から報知情報を受信すると（ステップＳＴ７９）、その報知情報を参照して、Ｓ−ＣＣＰＣＨのパラメータを設定して受信を開始する（ステップＳＴ８０）。
【０１０３】
図１４は移動体通信端末６におけるアクティブセットの更新処理を示すフローチャートである。ただし、移動体通信端末６がアクティブセットの追加処理、入れ替え処理、または、削除処理の選択は図１１と同じであるため説明を省略する。
・アクティブセットの追加処理
移動体通信端末６のプロトコル処理部２６は、基地局５から報知情報としてＳ−ＣＣＰＣＨパラメータ（Ｓ−ＣＣＰＣＨのサービス状態を含む）を受信する（ステップＳＴ８１）。
【０１０４】
プロトコル処理部２６は、Ｓ−ＣＣＰＣＨパラメータに含まれているＳ−ＣＣＰＣＨのサービス状態を参照して、Ｓ−ＣＣＰＣＨパラメータに対応する基地局５が現在サービス中であるか否かを確認する（ステップＳＴ８２）。
プロトコル処理部２６は、Ｓ−ＣＣＰＣＨパラメータに対応する基地局５が現在サービス中であれば、その基地局５をアクティブセットに追加する（ステップＳＴ８３）。
また、プロトコル処理部２６は、そのＳ−ＣＣＰＣＨパラメータをサーチ部１５、フィンガー割り当て制御部１７及びＲＡＫＥ合成部１８に通知する。
【０１０５】
以降、追加された基地局５を含むアクティブセットの基地局５のＳ−ＣＣＰＣＨの受信処理を開始する（ステップＳＴ８４）。
・アクティブセットの入れ替え処理
プロトコル処理部２６は、基地局５から報知情報としてＳ−ＣＣＰＣＨパラメータ（Ｓ−ＣＣＰＣＨのサービス状態を含む）を受信する（ステップＳＴ８５）。
【０１０６】
プロトコル処理部２６は、Ｓ−ＣＣＰＣＨパラメータに含まれているＳ−ＣＣＰＣＨのサービス状態を参照して、Ｓ−ＣＣＰＣＨパラメータに対応する基地局５が現在サービス中であるか否かを確認する（ステップＳＴ８６）。
プロトコル処理部２６は、Ｓ−ＣＣＰＣＨパラメータに対応する基地局５が現在サービス中であれば、現在のアクティブセットに含まれている基地局５の中で、最も受信レベルが低い基地局５をアクティブセットから除外する（ステップＳＴ８７）。
また、プロトコル処理部２６は、Ｓ−ＣＣＰＣＨパラメータに対応する基地局５をアクティブセットに追加する（ステップＳＴ８８）。
さらに、プロトコル処理部２６は、そのＳ−ＣＣＰＣＨパラメータをサーチ部１５、フィンガー割り当て制御部１７及びＲＡＫＥ合成部１８に通知する。
【０１０７】
以降、入れ替えられた基地局５を含むアクティブセットの基地局５のＳ−ＣＣＰＣＨの受信処理を開始する（ステップＳＴ８９）。
・アクティブセットの削除処理
プロトコル処理部２６は、現在のアクティブセットに含まれている基地局５の中で、最も受信レベルが低い基地局５のＳ−ＣＣＰＣＨの受信処理を停止し（ステップＳＴ９０）、その基地局５をアクティブセットから除外する（ステップＳＴ９１）。
【０１０８】
以上で明らかなように、この実施の形態４によれば、移動体通信端末６がアクティブセットを更新する際に必要な報知情報を基地局５から受信し、その報知情報を参照して、アクティブセットを更新するように構成したので、移動体通信端末６が移動しても、無線信号の受信品質を確保することができる効果を奏する。
【０１０９】
また、この実施の形態４によれば、上記実施の形態３のように、移動体通信端末６がアクティブセットの更新要求を基地局５に送信する必要がないので、上記実施の形態３よりも速やかにアクティブセットの更新処理を実施することができる効果を奏する。
また、Ｓ−ＣＣＰＣＨに関する情報を一度に複数の移動体通信端末６に一斉報知することができる一方、アクティブセットの追加処理等を基地局５に伝える必要がないため、移動体通信端末６の台数が多い場合には、シグナリング数を減らすことができる効果を奏する。
【０１１０】
実施の形態５．
上記実施の形態３では、移動体通信端末６が複数の基地局５から送信された無線信号の受信レベルを相互に比較し、その比較結果に応じてアクティブセットの更新要求を基地局５に送信するものについて示したが、複数の基地局５から送信された無線信号の受信レベルを比較するに際して、無線信号の受信レベルを次のようにして推定するようにしてもよい。
【０１１１】
即ち、Ｓ−ＣＣＰＣＨを利用して送信された無線信号の受信レベルとして受信電力を確認するには、そのＳ−ＣＣＰＣＨのコードやタイミングを設定して復調を行うことにより、そのコードに割り当てられた電力ＲＳＣＰを求める必要がある。
しかし、事前にＳ−ＣＣＰＣＨパラメータを得て、コード設定を行うには、煩雑な処理を実施する必要がある。
【０１１２】
そこで、この実施の形態５では、基地局５が事前にＣＰＩＣＨ（パイロットチャネル）とＳ−ＣＣＰＣＨ（共通チャネル）の電力比を移動体通信端末６に通知しておき、移動体通信端末６がＣＰＩＣＨの電力を測定し、そのＣＰＩＣＨの電力の測定値と上記電力比からＳ−ＣＣＰＣＨの電力を推定する方法を実施する。
【０１１３】
具体的には下記の通りである。
図１５はＣＰＩＣＨとＳ−ＣＣＰＣＨの電力比の通知を示すシーケンス図である。
まず、基地局制御装置４は、各基地局５のＣＰＩＣＨとＳ−ＣＣＰＣＨの電力比を取得する（ステップＳＴ１０１）。
次に、基地局制御装置４は、各基地局５のＣＰＩＣＨとＳ−ＣＣＰＣＨの電力比を報知情報として基地局５に送信する。
【０１１４】
基地局５は、基地局制御装置４から報知情報を受信すると、その報知情報を移動体通信端末６に転送する（ステップＳＴ１０２）。
移動体通信端末６は、各基地局５におけるＣＰＩＣＨの電力を測定し、基地局５から報知情報を受信すると（ステップＳＴ１０３）、その報知情報を参照して、各基地局５におけるＣＰＩＣＨの電力に対して、当該ＣＰＩＣＨとＳ−ＣＣＰＣＨの電力比を乗算して、Ｓ−ＣＣＰＣＨの電力を換算する（ステップＳＴ１０４）。
【０１１５】
図１６は移動体通信端末におけるアクティブセットの更新処理を示すフローチャートである。
移動体通信端末６のサーチ部１５は、基地局５から各基地局５のＣＰＩＣＨとＳ−ＣＣＰＣＨの電力比を報知情報として受信する（ステップＳＴ１１１）。
サーチ部１５は、アクティブセットに含まれている基地局５の他、現在アクティブセットに含まれていない基地局５のＣＰＩＣＨの受信レベルとして電力を測定する（ステップＳＴ１１２）。
【０１１６】
サーチ部１５は、各基地局５におけるＣＰＩＣＨの電力に対して、当該ＣＰＩＣＨとＳ−ＣＣＰＣＨの電力比を乗算して、Ｓ−ＣＣＰＣＨの電力を換算する（ステップＳＴ１１３）。
サーチ部１５は、各基地局５におけるＳ−ＣＣＰＣＨの受信レベルを示す電力を比較して、それらのＳ−ＣＣＰＣＨの受信レベルを順番に並べる（ステップＳＴ１１４）。
サーチ部１５は、アクティブセットに含まれている基地局５のＳ−ＣＣＰＣＨの受信レベルの中で、最も低いＳ−ＣＣＰＣＨの受信レベルをＸとし、そのＳ−ＣＣＰＣＨの受信レベルＸと、アクティブセットのばたつきを防止するためのヒステリシスパラメータＨとから追加閾値Ｔａｄｄを算出する。
Ｔａｄｄ＝Ｘ＋Ｈ／２
【０１１７】
ここでは、サーチ部１５が追加閾値Ｔａｄｄを算出しているが、上位レイヤから追加閾値Ｔａｄｄを受信するようにしてもよい。
サーチ部１５は、上記のようにして、追加閾値Ｔａｄｄを算出すると、図１０のステップＳＴ２４の処理に移行する。以降、上記実施の形態１と同様であるため説明を省略する。
【０１１８】
以上で明らかなように、この実施の形態５によれば、予め複数の基地局５からＣＰＩＣＨとＳ−ＣＣＰＣＨの電力比を示す情報を受信し、複数の基地局５からＣＰＩＣＨを利用して送信された無線信号の受信レベルと当該電力比から、複数の基地局５からＳ−ＣＣＰＣＨを利用して送信された無線信号の受信レベルを推定するように構成したので、Ｓ−ＣＣＰＣＨパラメータを得てコード設定を行うなど、煩雑な処理を実施することなく、複数の基地局５からＳ−ＣＣＰＣＨを利用して送信された無線信号の受信レベルを得ることができる効果を奏する。Ｓ−ＣＣＰＣＨの送信レベルが基地局５によって異なる場合には、数多くのコード設定が不要になるため特に有効である。
【産業上の利用可能性】
【０１１９】
以上のように、この発明に係る無線通信システムは、複数の基地局がＳ−ＣＣＰＣＨを利用してマルチメディアデータを一斉送信する際、移動体通信端末がマルチメディアデータの受信に最適な基地局を選択して、そのマルチメディアデータの受信品質を高める必要があるものに適している。
【符号の説明】
【０１２０】
１  サービスセンター、２  ＧＧＳＮ、３  ＳＧＳＮ、  ４  基地局制御装置、５  基地局、６  移動体通信端末、１１，４９  アンテナ、１２，５０  低雑音増幅部、１３，３３，４７，５１  周波数変換部、１４，５２  Ａ／Ｄ変換部、１５  サーチ部、１６  コード発生器、１７  フィンガー割り当て制御部、１８  ＲＡＫＥ合成部、１８ａ，ｂ，ｃ，ｄ  フィンガー部、１８ｅ，ｆ  セル合成部、１９ａ，ｂ  セル入力メモリ１、２０  デコード部、２１ａ，ｂ  セル出力メモリ、２２  選択部、２３  下り共通チャネル受信部、２４  報知情報受信部、２５  下り個別チャネル受信部、２６  プロトコル処理部、２７  アプリケーション処理部、２８  上り共通チャネル送信部、２９  上り個別チャネル送信部、３０  コード発生器、３１，４５  変調部、３２，４６  Ｄ／Ａ変換部、３４，４８  電力増幅部、４１  報知情報送信部、４２  下り個別チャネル送信部、４３  下り共通チャネル送信部、４４  下り用コード発生器、５３  上り用コード発生器、５４  復調部、５５  上り個別チャネル受信部、５６  上り共通チャネル受信部、６１  対コアネットワーク送受信処理部、６２  ＱｏＳパラメータマッピング部、６３  無線資源制御部、６４  無線リンク制御部、６５  対基地局送受信処理部。
【図１】
2010273355.tif 000003
【図２】
2010273355.tif 000004
【図３】
2010273355.tif 000005
【図４】
2010273355.tif 000006
【図５】
2010273355.tif 000007
【図６】
2010273355.tif 000008
【図７】
2010273355.tif 000009
【図８】
2010273355.tif 000010
【図９】
2010273355.tif 000011
【図１０】
2010273355.tif 000012
【図１１】
2010273355.tif 000013
【図１２】
2010273355.tif 000014
【図１３】
2010273355.tif 000015
【図１４】
2010273355.tif 000016
【図１５】
2010273355.tif 000017
【図１６】
2010273355.tif 000018